(57)【要約】【課題】燃料電池の各部における燃料極側の湿潤状態を均一にし、燃料流路内における水分の凝縮を防止し、燃料流路内の水分の滞留を抑制し、滞留した水分を確実に排出することができ、燃料電池の性能低下及び燃料極の劣化を確実に防止することができるようにする。【解決手段】電解質層を燃料極と酸素極とで挟持した燃料電池が、前記燃料極に沿って燃料流路が形成され、酸素極に沿って酸化剤流路が形成されたセパレータを介して複数電気的に接続された燃料電池集合体と、前記燃料流路から燃料ガスを排出する燃料排出管路と、前記燃料電池集合体の燃料ガス排出側に配設された側端保持部とを有する燃料電池システムであって、前記燃料排出管路における側端保持部内に形成された部分の下端は、前記燃料流路における最も燃料排出管路側の部分の下端よりも低く、かつ、傾斜面で前記燃料流路の下端と接続されている。【選択図】図１
2008234888.tif 000002
【特許請求の範囲】
【請求項１】
電解質層を燃料極と酸素極とで挟持した燃料電池が、前記燃料極に沿って燃料流路が形成され、酸素極に沿って酸化剤流路が形成されたセパレータを介して複数電気的に接続された燃料電池集合体と、
前記燃料流路から燃料ガスを排出する燃料排出管路と、
前記燃料電池集合体の燃料ガス排出側に配設された側端保持部とを有する燃料電池システムであって、
前記燃料排出管路における側端保持部内に形成された部分の下端は、前記燃料流路における最も燃料排出管路側の部分の下端よりも低く、かつ、傾斜面で前記燃料流路の下端と接続されていることを特徴とする燃料電池システム。
【請求項２】
前記燃料ガスの排出を制御する制御手段を有し、
該制御手段は、前記燃料流路から燃料ガスを排出する排出処理を所定のタイミングで実行する請求項１に記載の燃料電池システム。
【請求項３】
前記燃料流路内に水分が滞留したことを検出する水滞留センサを有し、
前記制御手段は、水滞留センサが前記燃料流路内に水分が滞留したことを検出すると、前記排出処理を実行する請求項２に記載の燃料電池システム。
【請求項４】
前記制御手段は、燃料電池システムの運転を停止する停止処理が実行されると、前記排出処理を実行する請求項２に記載の燃料電池システム。
【発明の詳細な説明】
【技術分野】
【０００１】
本発明は、燃料電池システムに関するものである。
【背景技術】
【０００２】
従来、燃料電池は発電効率が高く、有害物質を排出しないので、産業用、家庭用の発電装置として、又は、人工衛星や宇宙船などの動力源として実用化されてきたが、近年は、乗用車、バス、トラック、乗用カート、荷物用カート等の車両用の動力源として開発が進んでいる。そして、前記燃料電池は、アルカリ水溶液形（ＡＦＣ）、リン酸形（ＰＡＦＣ）、溶融炭酸塩形（ＭＣＦＣ）、固体酸化物形（ＳＯＦＣ）、直接形メタノール（ＤＭＦＣ）等のものであってもよいが、固体高分子形燃料電池（ＰＥＭＦＣ）が一般的である。
【０００３】
この場合、固体高分子電解質膜を２枚のガス拡散電極で挟み、一体化させて接合する。そして、該ガス拡散電極の一方を燃料極（アノード極）とし、その表面に燃料としての水素ガスを供給すると、水素が水素イオン（プロトン）と電子とに分解され、水素イオンが固体高分子電解質膜を透過する。また、前記ガス拡散電極の他方を酸素極（カソード極）とし、その表面に酸化剤としての空気を供給すると、空気中の酸素と、前記水素イオン及び電子とが結合して、水が生成される。このような電気化学反応によって起電力が生じるようになっている。
【０００４】
そして、固体高分子形燃料電池においては、電気化学反応によって生成された水分が、燃料極側から酸素極側に向けてプロトン同伴水として移動するとともに、酸素極側から燃料極側に向けて逆拡散水として移動する。これにより、固体高分子電解質膜の両側は、湿潤な状態に維持される。しかし、水分の量が多くなると、燃料極側において局所的に水素ガス流路が水分によって塞（ふさ）がれてしまい、燃料電池の性能が低下したり、燃料極が劣化したりしてしまうことが知られている。
【０００５】
そこで、水素ガス流路の出口と、該出口に接続される燃料排出マニホールドとの接続部に段差を形成し、水素ガス流路の出口の下面よりも燃料排出マニホールドの下面の位置が低くなるようにして、水分が水素ガス流路から燃料排出マニホールドに流出しやすくして、水分の滞留を防止して電流密度を均一化する技術が提案されている（例えば、特許文献１参照。）。
【特許文献１】特開２００４−３２７０５９号公報
【発明の開示】
【発明が解決しようとする課題】
【０００６】
しかしながら、前記従来の燃料電池システムにおいては、水素ガス流路の出口と燃料排出マニホールドとの接続部に段差が形成されているので、水素ガス流路内の水分を十分に排出することができなかった。すなわち、水素ガス流路の出口の下面よりも燃料排出マニホールドの下面の位置が低くなっていても、段差に角があるので水の表面張力が作用するので、水分は角において堰（せ）き止められ、スムーズに流れなくなってしまう。そのため、水素ガス流路内で発生する水分の滞留を十分に防止することができなかった。
【０００７】
本発明は、前記従来の燃料電池システムの問題点を解決して、燃料ガス排出側の側端保持部に形成された燃料排出管路の下端が、燃料電池スタックにおいて最下流側に位置する燃料流路の下端よりも低く位置し、かつ、傾斜面で接続されるようにして、燃料電池の各部における燃料極側の湿潤状態を均一にし、燃料流路内における水分の凝縮を防止し、燃料流路内の水分の滞留を抑制し、滞留した水分を確実に排出することができ、燃料電池の性能低下及び燃料極の劣化を確実に防止することができる燃料電池システムを提供することを目的とする。
【課題を解決するための手段】
【０００８】
そのために、本発明の燃料電池システムにおいては、電解質層を燃料極と酸素極とで挟持した燃料電池が、前記燃料極に沿って燃料流路が形成され、酸素極に沿って酸化剤流路が形成されたセパレータを介して複数電気的に接続された燃料電池集合体と、前記燃料流路から燃料ガスを排出する燃料排出管路と、前記燃料電池集合体の燃料ガス排出側に配設された側端保持部とを有する燃料電池システムであって、前記燃料排出管路における側端保持部内に形成された部分の下端は、前記燃料流路における最も燃料排出管路側の部分の下端よりも低く、かつ、傾斜面で前記燃料流路の下端と接続されている。
【０００９】
本発明の他の燃料電池システムにおいては、さらに、前記燃料ガスの排出を制御する制御手段を有し、該制御手段は、前記燃料流路から燃料ガスを排出する排出処理を所定のタイミングで実行する。
【００１０】
本発明の更に他の燃料電池システムにおいては、さらに、前記燃料流路内に水分が滞留したことを検出する水滞留センサを有し、前記制御手段は、水滞留センサが前記燃料流路内に水分が滞留したことを検出すると、前記排出処理を実行する。
【００１１】
本発明の更に他の燃料電池システムにおいては、さらに、前記制御手段は、燃料電池システムの運転を停止する停止処理が実行されると、前記排出処理を実行する。
【発明の効果】
【００１２】
請求項１の構成によれば、燃料流路から燃料排出管路に排出された水分が前記燃料流路に逆流することを防止することができる。また、燃料流路の下端と燃料排出管路の下端とが傾斜面によって接続されているので、水分は、表面張力の作用によって堰き止められることがなく、燃料流路から燃料排出管路にスムーズに流出する。そのため、燃料電池の性能の低下や、燃料極の劣化を防止することができる。
【００１３】
請求項２の構成によれば、燃料流路内に滞留した水分を適切に排出することができ、燃料電池の性能の低下や、燃料極の劣化を防止することができる。
【００１４】
請求項３の構成によれば、燃料流路内に水分が滞留していることを確実に検出することができる。
【００１５】
請求項４の構成によれば、燃料流路内に滞留した水分を適切に排出することができ、次回に燃料電池システムを起動させる際に、燃料ガスの置換をスムーズに行うことができ、燃料電池の性能の低下や、燃料極の劣化を防止することができる。
【発明を実施するための最良の形態】
【００１６】
以下、本発明の実施の形態について図面を参照しながら詳細に説明する。
【００１７】
図２は本発明の第１の実施の形態における燃料電池スタックの構成を示す平面図、図３は本発明の第１の実施の形態における燃料電池システムの構成を示す図である。
【００１８】
図において、２０は複数の燃料電池セル（ＦＣ）から構成される燃料電池集合体としての燃料電池スタックであり、乗用車、バス、トラック、乗用カート、荷物用カート等の車両用の動力源として使用される。ここで、車両は、照明装置、ラジオ、パワーウィンドウ等の車両の停車中にも使用される電気を消費する補機類を多数備えており、また、走行パターンが多様であり、動力源に要求される出力範囲が極めて広いので、動力源として燃料電池スタック２０と、バッテリ、リチウムイオン電池などの二次電池、キャパシタ等から成る蓄電手段とを併用して使用することが望ましい。
【００１９】
そして、燃料電池セルは、アルカリ水溶液形、リン酸形、溶融炭酸塩形、固体酸化物形、直接形メタノール等のものであってもよいが、固体高分子形燃料電池であることが望ましい。
【００２０】
なお、更に望ましくは、水素ガスを燃料とし、酸素又は空気を酸化剤とするＰＥＭＦＣ（Ｐｒｏｔｏｎ  Ｅｘｃｈａｎｇｅ  Ｍｅｍｂｒａｎｅ  Ｆｕｅｌ  Ｃｅｌｌ）形燃料電池、又は、ＰＥＭ（Ｐｒｏｔｏｎ  Ｅｘｃｈａｎｇｅ  Ｍｅｍｂｒａｎｅ）形燃料電池と呼ばれるものである。ここで、該ＰＥＭ形燃料電池は、一般的に、プロトン等のイオンを透過する固体高分子電解質膜の両側に触媒、電極及びセパレータを結合したセル（Ｆｕｅｌ  Ｃｅｌｌ）を複数及び直列に結合したスタック（Ｓｔａｃｋ）から成る。
【００２１】
この場合、固体高分子電解質膜を２枚のガス拡散電極で挟み、一体化させて接合する。そして、該ガス拡散電極の一方を燃料極とし、該燃料極表面に接する後述される燃料流路１３を介し前記燃料極に燃料ガスとしての水素ガスを供給すると、水素が水素イオン（プロトン）と電子とに分解され、水素イオンが固体高分子電解質膜を透過する。また、前記ガス拡散電極の他方を酸素極とし、該酸素極表面に接する酸化剤流路としての空気流路を介し前記酸素極に酸化剤としての空気を供給すると、空気中の酸素、前記水素イオン及び電子が結合して、水が生成される。このような電気化学反応によって起電力が生じるようになっている。
【００２２】
例えば、本実施の形態においては、一例として、ＰＥＭ形燃料電池であり、例えば、１００枚のセルを直列に接続したスタックを使用する。なお、改質装置によってメタノール、ガソリン等を改質して取り出した燃料である水素ガスを燃料電池セルに直接供給することもできるが、車両の高負荷運転時にも安定して十分な量の水素を供給することができるようにするためには、燃料貯蔵手段７３に貯蔵した水素ガスを供給することが望ましい。
【００２３】
ここで、前記燃料貯蔵手段７３は、水素吸蔵合金を格納した容器であることが望ましいが、デカリンのような水素吸蔵液体を格納した容器、水素ガスボンベのように水素ガスを格納した容器等であってもよい。これにより、水素ガスがほぼ一定の圧力で常に十分に供給されるので、前記燃料電池セルは車両の負荷の変動に遅れることなく追随して、必要な電流を供給することができる。
【００２４】
本実施の形態において、燃料電池スタック２０は、図２に示されるように、複数のセルモジュール２１を有する。なお、図２における矢印は、燃料ガスとしての水素ガスの流れを示している。セルモジュール２１は、後述される燃料電池としての単位セル（ＭＥＡ：Ｍｅｍｂｒａｎｅ  Ｅｌｅｃｔｒｏｄｅ  Ａｓｓｅｍｂｌｙ）１１と、該単位セル１１同士を電気的に接続するとともに、単位セル１１に導入される水素ガスが流通する燃料流路１３と空気が流通する空気流路とを分離する後述されるセパレータ１２と、単位セル１１及びセパレータ１２を１セットとして、板厚方向に複数のセットを重ねて構成されている。セルモジュール２１は、単位セル同士が所定の間隙（げき）を隔てて配置されるように、単位セル１１とセパレータ１２とが、多段に重ねられて積層されている。
【００２５】
単位セル１１は、電解質層としての固体高分子電解質膜側に設けられた酸素極としての空気極及び他側に設けられた燃料極から構成されている。前記空気極及び燃料極は、反応ガスを拡散しながら透過する導電性材料から成る電極拡散層と、該電極拡散層上に形成され、固体高分子電解質膜と接触させて支持される触媒層とから成る。また、単位セル１１の空気極側の電極拡散層に接触して集電する集電体としての空気極側コレクタと、単位セル１１の燃料極側の電極拡散層に接触して集電する集電体としての燃料極側コレクタとを有する。
【００２６】
前記単位セル１１においては、水が移動する。この場合、燃料極表面に接する燃料流路１３内に燃料ガス、すなわち、アノードガスとしての水素ガスを供給すると、水素が水素イオンと電子とに分解され、水素イオンがプロトン同伴水を伴って、固体高分子電解質膜を透過する。また、前記空気極をカソード極とし、空気流路内に酸化剤、すなわち、カソードガスとしての空気を供給すると、空気中の酸素と、前記水素イオン及び電子とが結合して、水が生成される。なお、水分が逆拡散水として固体高分子電解質膜を透過し、燃料極表面に接する燃料流路１３内に移動する。ここで、逆拡散水とは、空気流路において生成される水が固体高分子電解質膜内に拡散し、該固体高分子電解質膜内を前記水素イオンと逆方向に透過して燃料極にまで浸透したものである。
【００２７】
図２に示される燃料電池スタック２０においては、複数のセルモジュール２１が図における横方向に重ねられて積層され、左右両端から側端保持部４０によって挟まれている。また、図２に示される例においては、単位セル１１及びセパレータ１２のセットを１０個積層して１つのセルモジュール２１を形成し、該セルモジュール２１を１０個積層して１つの燃料電池スタック２０を形成している。なお、単位セル１１の両側には必ずセパレータ１１２が配設されるようになっているので、１つのセルモジュール２１におけるセパレータ１２の数は１１枚である。
【００２８】
この場合、燃料電池スタック２０は、全体として扁（へん）平な直方体状の形状を有し、内部における空気の流れは、図２における図面に垂直な方向としての重力方向であり、上から下に直線状になっている。また、水素ガスの流れは、図２において矢印で示されるように、重力方向とほぼ直交する水平面内において、セルモジュール２１毎に折り返すサーペンタイン状に、すなわち、蛇行状になっている。そして、一方の側端保持部４０に水素ガスを供給する第２燃料供給管路３３が接続され、他方の側端保持部４０に水素ガスを排出する第１燃料排出管路３１が接続されている。
【００２９】
なお、各セルモジュール２１は、その両端においてセルモジュール２１を厚さ方向に貫通するように形成された燃料ガス流路としての燃料用貫通孔（こう）３５を備える。そして、前記第２燃料供給管路３３は、水素ガスの流れに関して最上流側に位置するセルモジュール２１の燃料用貫通孔３５に接続され、前記第１燃料排出管路３１は、水素ガスの流れに関して最下流側に位置するセルモジュール２１の燃料用貫通孔３５に接続されている。なお、第１燃料排出管路３１は、側端保持部４０内に形成された燃料ガス流路としての側端貫通孔３７及び燃料ガス出口側マニホールド４４を介して、最下流側に位置するセルモジュール２１の燃料用貫通孔３５に接続されている。
【００３０】
本実施の形態において、燃料電池システムは、図３に示されるように、燃料電池スタック２０に水素ガスを供給するためのシステムを有する。水素ガスは、燃料貯蔵手段７３から、燃料供給管路としての第１燃料供給管路３２、及び、該第１燃料供給管路３２に接続された燃料供給管路としての第２燃料供給管路３３を通って、燃料電池スタック２０の燃料ガス流路の入口に供給される。そして、前記第１燃料供給管路３２には、水素供給電磁弁としての燃料供給電磁弁２６が配設される。また、前記第２燃料供給管路３３には、前記燃料ガス流路内の圧力を検出する圧力検出手段としての圧力センサ７８が配設される。なお、前記燃料貯蔵手段７３は、十分に大きな容量を有し、常に、十分に高い圧力の水素ガスを供給することができる能力を有するものである。なお、前記燃料貯蔵手段７３は、単数であってもよいし、また、複数であってもよいし、複数の場合にはいくつであってもよい。
【００３１】
そして、燃料電池スタック２０の燃料流路１３の出口から未反応成分として排出される水素ガスは、燃料排出管路としての第１燃料排出管路３１を通って燃料電池スタック２０の外部に排出される。前記第１燃料排出管路３１には、回収容器としての水回収ドレインタンク６０が配設されている。そして、該水回収ドレインタンク６０には水と分離された水素ガスとを排出する燃料排出管路としての第２燃料排出管路３０が接続され、該第２燃料排出管路３０には水素循環ポンプとしての吸引循環ポンプ３６が配設されている。また、前記第２燃料排出管路３０には水素循環切り替え電磁弁としての水素循環電磁弁３４が配設されている。また、前記第２燃料排出管路３０における水回収ドレインタンク６０及び反対側の端部は、第２燃料供給管路３３に接続されている。これにより、燃料電池スタック２０の外部に導出された水素ガスを回収し、燃料電池スタック２０の燃料ガス流路に供給して再利用することができる。
【００３２】
なお、前記水回収ドレインタンク６０は、燃料電池システムの運転を停止する際に燃料ガス流路から排出された水素ガスを収容するための吸引タンクとしても機能する。そのため、前記水回収ドレインタンク６０の容量は、置換ガスとしての空気を燃料ガス流路内へ導入して燃料ガスとしての水素ガスのパージを行うと、燃料電池スタック２０の燃料ガス流路内に残留していた水素ガスが急速に水回収ドレインタンク６０内に追いやられ、前記燃料ガス流路内に残留しない状態となるのに十分な大きさとなるように設定されている。すなわち、燃料電池スタック２０に空気が導入される時点において、前記燃料電池スタック２０の燃料ガス流路内が真空になっていなくても、該燃料ガス流路内において残留している水素ガスが急速に水回収ドレインタンク６０内に移動し、燃料電池スタック２０内において導入された空気中の酸素と混合状態になることがないようにするために、水回収ドレインタンク６０は十分に大きな容量を有するものである。
【００３３】
また、前記第２燃料排出管路３０における吸引循環ポンプ３６と水素循環電磁弁３４との間には、燃料排出管路としての第３燃料排出管路５６が接続され、該第３燃料排出管路５６には水素排気電磁弁としての水素起動停止電磁弁５６ａが配設されている。これにより、燃料電池スタック２０の運転終了時に水素ガスを排出することができる。
【００３４】
さらに、前記第２燃料供給管路３３には、パージ手段としての外気導入管路２８が接続されている。そして、該外気導入管路２８には、空気導入用電磁弁としての外気導入用電磁弁２８ａ及びエアフィルタ２８ｂが配設され、燃料電池スタック２０の運転終了時に置換ガスとしての外気、すなわち空気を燃料ガス流路に導入して燃料ガスとしての水素ガスのパージを行うことができるようになっている。
【００３５】
ここで、前記燃料供給電磁弁２６、外気導入用電磁弁２８ａ、水素循環電磁弁３４及び水素起動停止電磁弁５６ａは、いわゆる、オン−オフ式のものであり、電気モータ、パルスモータ、電磁石等から成るアクチュエータによって作動させられる。さらに、前記吸引循環ポンプ３６は、水素ガスとともに逆拡散水を強制的に排出し、燃料ガス流路内を負圧の状態にすることができるポンプであれば、いかなる種類のものであってもよい。なお、前記エアフィルタ２８ｂは、空気に含まれる塵埃（じんあい）、不純物、有害ガス等を除去する。
【００３６】
一方、酸化剤としての空気は、図示されない空気供給ファン、空気ボンベ、空気タンク等の酸化剤供給源から、吸気マニホールド等を通って、燃料電池スタック２０の空気流路に供給される。なお、酸化剤として、空気に代えて酸素を使用することもできる。そして、空気流路から排出される空気は、図示されない排気マニホールド、凝縮器等を通って大気中へ排出される。
【００３７】
また、前記吸気マニホールドには、水をスプレーして、燃料電池スタック２０の酸素極（カソード極）を湿潤な状態に維持するための水供給ノズルが配設される。また、スプレーされた水によって前記酸素極及び燃料極を冷却することができる。さらに、前記凝縮器は、前記燃料電池スタック２０から排出される空気に含まれる水分を凝縮して除去するためのもので、前記凝縮器によって凝縮された水は図示されない水タンクに回収され、水供給ノズルに供給される。
【００３８】
そして、前記蓄電手段としての二次電池は、いわゆる、バッテリ（蓄電池）であり、鉛蓄電池、ニッケルカドミウム電池、ニッケル水素電池、リチウムイオン電池、ナトリウム硫黄電池等が一般的である。なお、前記蓄電手段は、必ずしもバッテリでなくてもよく、電気二重層キャパシタのようなキャパシタ（コンデンサ）、フライホイール、超伝導コイル、蓄圧器等のように、エネルギを電気的に蓄積し放出する機能を有するものであれば、いかなる形態のものであってもよい。さらに、これらの中のいずれかを単独で使用してもよいし、複数のものを組み合わせて使用してもよい。
【００３９】
また、前記燃料電池スタック２０は図示されない負荷に接続され、発生した電流を前記負荷に供給する。ここで、該負荷は、一般的には、駆動制御装置であるインバータ装置であり、前記燃料電池スタック２０又は蓄電手段からの直流電流を交流電流に変換して、車両の車輪を回転させる駆動モータに供給する。ここで、該駆動モータは発電機としても機能するものであり、車両の減速運転時には、いわゆる回生電流を発生する。この場合、前記駆動モータは車輪によって回転させられて発電するので、前記車輪にブレーキをかける、すなわち、車両の制動装置（ブレーキ）として機能する。そして、前記回生電流が蓄電手段に供給されて該蓄電手段が充電される。
【００４０】
なお、本実施の形態において、燃料電池システムは図示されない制御手段を有する。該制御手段は、ＣＰＵ、ＭＰＵ等の演算手段、磁気ディスク、半導体メモリ等の記憶手段、入出力インターフェイス等を備え、各種のセンサから燃料電池スタック２０の燃料流路１３及び空気流路に供給される水素、酸素、空気等の流量、温度、出力電圧等を検出して、前記酸化剤供給源、燃料供給電磁弁２６、外気導入用電磁弁２８ａ、水素循環電磁弁３４、吸引循環ポンプ３６、水素起動停止電磁弁５６ａ等の動作を制御する。なお、前記制御手段は、燃料電池スタック２０の燃料ガス流路への水素ガスの供給を停止してからの経過時間を計測するためのタイマーも備える。そして、前記制御手段は、後述されるように、待機モード、又は、停止モードを選択的に実行する。さらに、前記制御手段は、他のセンサ及び他の制御装置と連携して、燃料電池スタック２０に燃料及び酸化剤を供給するすべての装置の動作を統括的に制御する。
【００４１】
次に、前記燃料電池スタック２０における最下流側に位置するセルモジュール２１の燃料用貫通孔３５と側端保持部４０の側端貫通孔３７との接続部の構成について詳細に説明する。
【００４２】
図１は本発明の第１の実施の形態における燃料電池スタックの燃料用貫通孔と側端貫通孔との接続部の構成を示す断面図であって図２のＡ−Ａ矢視断面図である。なお、図１（ａ）は比較例を示し、図１（ｂ）は本発明の第１の実施の形態を示している。
【００４３】
図に示されるように、燃料電池スタック２０において水素ガスの流れに関して最下流側に位置するセルモジュール２１に隣接して配設された側端保持部４０は、金属等の導電性材料から成り、最下流側に位置するセパレータ１２に当接し、燃料電池スタック２０の電極端子として機能するターミナル４１、該ターミナル４１に当接する電気的絶縁性材料から成るインシュレータ４２、該インシュレータ４２に当接し、燃料電池スタック２０を挟み込んで締め付けるエンドプレート４３、及び、該エンドプレート４３の外側に接続された燃料ガス出口側マニホールド４４を有する。なお、図に示される例において、燃料ガス出口側マニホールド４４は、エンドプレート４３と別個に形成され、該エンドプレート４３の外側に接続されているが、エンドプレート４３と一体的に形成されていてもよい。
【００４４】
そして、側端保持部４０は、ターミナル４１、インシュレータ４２及びエンドプレート４３を厚さ方向に貫通して、燃料ガス出口側マニホールド４４内に連通する燃料排出管路の一部である側端貫通孔３７を有し、該側端貫通孔３７は、燃料流路１３の一部であって、セルモジュール２１を厚さ方向に貫通するように形成された燃料用貫通孔３５に接続されている。
【００４５】
また、図に示されるように、各セパレータ１２における単位セル１１の燃料極と接する側には燃料流路１３が形成され、各セルモジュール２１において、水素ガスは、燃料流路１３内を流通して燃料用貫通孔３５に流入する。
【００４６】
なお、「背景技術」でも説明したように、燃料流路１３内の水素ガスには、酸素極側から燃料極側に向けて逆拡散水として移動した水分が含まれており、該水分は、分圧が高くなると凝縮して凝縮水となる。そして、凝縮する水分の量が多いと、燃料流路１３が局所的に水分によって塞がれてしまい、単位セル１１の性能が低下したり、単位セル１１の燃料極が劣化したりしてしまう。
【００４７】
そこで、本実施の形態においては、燃料電池システムの定常運転時に、所定のタイミングで水素ガスの排出処理を実行し、吸引循環ポンプ３６を作動させて燃料流路１３内の水素ガスを吸引して燃料電池スタック２０から排出することによって、燃料流路１３内の水素ガスの流速を高くして燃料流路１３内に滞留した水分を吹き飛ばして排出するようになっている。これにより、燃料極が水分によって覆われることがなく、単位セル１１の性能の低下や、燃料極の劣化を防止することができる。前記排出処理は、所定の周期毎に実行されるようにしてもよいし、所定の運転時間毎に実行されるようにしてもよいし、車両の走行距離が所定の値となる毎に実行されるようにしてもよいし、走行水分の滞留が検出されたときに随時実行されるようにしてもよい。
【００４８】
また、燃料電池システムの運転を停止させる場合にも、燃料流路１３内の水素ガスを吸引循環ポンプ３６によって吸引して大気中に排出する際に、燃料流路１３内の水素ガスの流速が高くなり、燃料流路１３内に滞留した水分を吹き飛ばして排出する。これにより、燃料極が水分によって覆われることがなく、単位セル１１の性能の低下や、燃料極の劣化を防止することができる。
【００４９】
ところで、通常の燃料電池スタック２０においては、セルモジュール２１の燃料用貫通孔３５と側端保持部４０の側端貫通孔３７との接続部が、図１（ａ）に示されるような構造を備えている。すなわち、燃料用貫通孔３５の下端、すなわち、底面の位置と、側端貫通孔３７の下端、すなわち、底面の位置とが同一となっている。そのため、水分は、燃料用貫通孔３５から側端貫通孔３７に向けて流れることができるだけでなく、側端貫通孔３７から燃料用貫通孔３５に向けて流れることもできる。したがって、例えば、水素ガスを大気中に排出する際の水素ガスの流速が十分でなく、図においてＢで示される側端貫通孔３７内に水分が残留した場合や、水素ガスの排出が停止した際における燃料流路１３内の水素ガスの流速の低下によって第１燃料排出管路３１内の水分が側端貫通孔３７にまで逆流した場合においては、排出された水分がセルモジュール２１の燃料用貫通孔３５にまで逆流し、さらに、毛細管現象等により燃料流路１３内にまで逆流してしまうことがある。
【００５０】
そこで、本実施の形態においては、図１（ｂ）に示されるように、燃料用貫通孔３５の下端としての底面の位置よりも、側端貫通孔３７の下端としての底面の位置が低くなるとともに、燃料用貫通孔３５の底面と側端貫通孔３７の底面とが傾斜面３８によって接続されている。なお、図に示される例においては、ターミナル４１における側端貫通孔３７の全範囲が傾斜面３８となっているが、該傾斜面３８は、ターミナル４１における側端貫通孔３７の一部のみに形成されていてもよいし、ターミナル４１のみならずインシュレータ４２及びエンドプレート４３を含む範囲に亘（わた）るように形成されていてもよい。また、傾斜面３８の傾斜角度は、任意に設定することができる。
【００５１】
このように、燃料用貫通孔３５の底面の位置よりも、側端貫通孔３７の底面の位置が低くなっているので、図においてＢで示される排出された水分がセルモジュール２１の燃料用貫通孔３５にまで逆流することがなく、したがって、燃料流路１３内にまで逆流してしまうことがない。また、燃料用貫通孔３５の底面と側端貫通孔３７の底面とが傾斜面３８によって接続されているので、水分は、燃料用貫通孔３５から側端貫通孔３７にスムーズに流出する。すなわち、仮に燃料用貫通孔３５の底面と側端貫通孔３７の底面とが段差によって接続されている場合には、水の表面張力が作用することにより、段差の上側の角、すなわち、燃料用貫通孔３５側の角で水面が円弧状に維持され、流れが堰き止められてしまうことがある。しかし、本実施の形態においては、段差でなく傾斜面３８によって接続されているているので、水の表面張力により流れが堰き止められることがない。
【００５２】
次に、前記構成の燃料電池システムの動作について説明する。まず、定常運転における動作について説明する。
【００５３】
本実施の形態の燃料電池システムにおける定常運転時には、燃料貯蔵手段７３の出口から流出する水素ガスの圧力をあらかじめ設定した一定の圧力に調整した後、前記燃料貯蔵手段７３の出口から流出する水素ガスの圧力は、燃料電池システムの運転中には調整されることがなく、そのままの状態が保持される。また、図示されない酸化剤供給源は常に一定量の空気を燃料電池スタック２０の空気流路に供給するように作動する。この場合、供給される空気の量は、燃料電池スタック２０の出力が最大となるために必要な空気の量よりも十分に多い量である。
【００５４】
そして、燃料電池スタック２０が運転を開始すると、該燃料電池スタック２０の各単位セル１１において逆拡散水が発生し、該逆拡散水が固体高分子電解質膜を透過して燃料流路１３にまで浸透して、前記固体高分子電解質膜の燃料極側を加湿する。これにより、該固体高分子電解質膜の燃料極側は湿潤な状態となり、電気化学反応によって水素から生成された水素イオンが固体高分子電解質膜内をスムーズに移動することができる。
【００５５】
また、前記燃料流路１３に供給されて余剰となった水素ガスは、前記燃料流路１３にまで浸透して余剰となった逆拡散水と混合して、気液混合物となる。該気液混合物となった水素ガスは、吸引循環ポンプ３６によって吸引され、燃料電池スタック２０に接続された第１燃料排出管路３１を通って前記燃料電池スタック２０の外部に導出される。そして、前記気液混合物は、第１燃料排出管路３１を通過して水回収ドレインタンク６０内に導入される。そして、比較的広い空間を備える前記水回収ドレインタンク６０内に滞留することによって、重量物である水分が重力により下方に落下し、水素ガスから逆拡散水が分離する。該逆拡散水が分離して乾燥した状態の水素ガスは、第２燃料排出管路３０から水回収ドレインタンク６０外に排出される。
【００５６】
そして、定常運転においては、前記第２燃料排出管路３０から排出された水素ガスは、開いた状態になっている水素循環電磁弁３４を通過して、第２燃料供給管路３３に導入され、再び、燃料電池スタック２０の燃料ガス流路に供給されて再利用される。なお、水素起動停止電磁弁５６ａが閉じた状態となっているので、吸引循環ポンプ３６から排出された水素ガスは、第３燃料排出管路５６を通って大気中に排出されることなく、第２燃料供給管路３３に導入される。また、外気導入用電磁弁２８ａも閉じた状態となっているので、大気が第２燃料供給管路３３に導入されることもない。
【００５７】
ここで、前記第２燃料排出管路３０は、水回収ドレインタンク６０上部の側壁に接続されているので、逆拡散水が分離して軽量となった状態の水素ガスだけが、第２燃料排出管路３０から排出され、水分が排出されることがない。また、第１燃料排出管路３１と第２燃料排出管路３０とは、互いに離れた位置で水回収ドレインタンク６０上部の側壁に接続されているので、第１燃料排出管路３１から水回収ドレインタンク６０内に導入された気液混合物が、そのまま、第２燃料排出管路３０から流出してしまうこともない。これにより、燃料ガス流路に浸透して余剰となった逆拡散水を適切にトラップすることができ、余剰となった水素ガスを回収して、再利用することができる。
【００５８】
一方、前記気液混合物から分離して落下した逆拡散水は、水回収ドレインタンク６０内の下部に貯留水として貯留する。そして、前記水回収ドレインタンク６０の容量は、大きく設定されているので、燃料電池スタック２０を搭載した車両が、一度燃料である水素ガスを燃料貯蔵手段７３に充填（てん）してから走行を行って、次回に水素ガスを燃料貯蔵手段７３に充填するまでの間に、水回収ドレインタンク６０から水分を排出する必要がない。
【００５９】
次に、燃料電池システムの運転を停止する際の動作について説明する。
【００６０】
図４は本発明の第１の実施の形態における燃料電池システムの運転を停止する際の動作を示すフローチャートである。
【００６１】
まず、車両の運転者がメインスイッチ等を操作して運転の停止を選択すると、燃料電池システムの制御手段に運転の停止命令が伝えられ（ステップＳ１）、燃料電池システムの運転を停止する動作が開始される。そして、前記制御手段は、運転の停止命令を受けると、燃料流路１３への水素ガスの供給を停止し、前記燃料流路１３内の水素ガスの空気によるパージを行う停止モードを実行する。まず、前記制御手段は、水素供給電磁弁ＣＬＯＳＥを実行し（ステップＳ２）、燃料供給電磁弁２６を閉じて燃料貯蔵手段７３からの水素ガスの供給を遮断する。続いて、前記制御手段は、水素循環切り替え電磁弁ＯＦＦを実行し（ステップＳ３）、水素循環電磁弁３４を閉じて水素ガスの循環を停止させる。これにより、燃料電池スタック２０の燃料流路１３への水素ガスの供給が遮断される。
【００６２】
続いて、前記制御手段は、水素排気電磁弁ＯＰＥＮを実行し（ステップＳ４）、水素起動停止電磁弁５６ａを開いて、燃料流路１３内の水素ガスを第３燃料排出管路５６から大気中に排出させる。この場合、吸引循環ポンプ３６が作動しているので、減圧が開始され、燃料電池スタック２０、水回収ドレインタンク６０、第２燃料供給管路３３、第２燃料排出管路３０及び第１燃料排出管路３１に残留している水素ガスは、吸引循環ポンプ３６によって吸引され、第３燃料排出管路５６から大気中に排出される。そして、燃料流路１３の内部が負圧となるので、燃料流路１３内から水素ガスが確実に速やかに除去されて排出される。なお、燃料流路１３内の水素ガスの流速が高くなるので、燃料流路１３内に滞留した水分は、吹き飛ばされ、水素ガスとともに排出される。
【００６３】
また、前記燃料流路１３内の水素ガスの圧力は、圧力センサ７８によって検出される。この場合、水素ガスの流れる経路において燃料供給電磁弁２６から吸引循環ポンプ３６までの範囲では水素ガスの圧力は同一であると考えることができるので、圧力センサ７８が前記範囲内に配設されていれば、前記圧力センサ７８の検出する圧力は、燃料電池スタック２０の燃料流路１３の圧力に等しい。
【００６４】
続いて、前記制御手段は、この状態で前記燃料流路１３内の水素ガスの圧力があらかじめ設定された閾（しきい）値、例えば、−７０〔ｋＰａＧ〕未満となったか否かを判断する（ステップＳ５）。この場合、前記閾値が相当の負圧を示しているので、圧力が閾値未満の状態は、前記燃料流路１３内の燃料通路に水素ガスが実質的に残留していない状態である。なお、前記制御手段は、燃料流路１３内の水素ガスの圧力が閾値未満となるまで、前記判断を繰り返して行う。
【００６５】
そして、燃料流路１３内の水素ガスの圧力が前記閾値未満となると、前記制御手段は、空気導入用電磁弁ＯＮを実行し（ステップＳ６）、外気導入用電磁弁２８ａを開き、空気を燃料流路１３内へ導入する。この場合、燃料供給電磁弁２６は閉じた状態であるので、導入された空気が燃料貯蔵手段７３の方へ流入することはない。これにより、燃料電池スタック２０の燃料流路１３内には空気が充満する。なお、該空気はエアフィルタ２８ｂを通過して濾（ろ）過された空気なので、大気中に存在する塵埃、不純物、有害ガス等を含んでいない。したがって、前記燃料流路１３における触媒等の部材が前記塵埃、不純物、有害ガス等によって汚染されたり変質させられることがない。
【００６６】
本実施の形態においては、燃料電池スタック２０に吸引タンクとしても機能する水回収ドレインタンク６０が接続されているので、燃料電池スタック２０に空気が導入されると、前記燃料電池スタック２０の燃料流路１３内に残留していた水素ガスは、急速に水回収ドレインタンク６０内に追いやられる。そのため、燃料電池スタック２０に空気が導入される時点において、燃料電池スタック２０の燃料流路１３内が真空になっていなくても、該燃料流路１３内において残留している水素ガスが導入された空気中の酸素と混合状態になることがない。したがって、単位セル１１内において電位シフトが発生することがないので、触媒粒子が溶出したり、燃料電池スタック２０の性能が低下したりすることがない。また、燃料流路１３内に滞留した水分も、流速の高い水素ガスによって吹き飛ばされ、燃料電池スタック２０から排出される。さらに、前記水分は、燃料流路１３内へ導入される空気によっても吹き飛ばされ、燃料電池スタック２０から排出される。
【００６７】
この場合、水回収ドレインタンク６０の容積が大きいほど、燃料電池スタック２０内に残留している水素ガスが水回収ドレインタンク６０内に移動する時間が短縮されるが、水回収ドレインタンク６０の容積を大きくし過ぎると、燃料電池システム全体が大型化してしまう。なお、空気を燃料電池スタック２０の燃料流路１３内に導入する前に、吸引循環ポンプ３６が減圧ポンプとして機能し、燃料電池スタック２０の燃料流路１３内に残留している水素ガスを吸引する。この場合、吸引循環ポンプ３６が減圧ポンプとしての機能も果たすので、減圧ポンプを独立して配設する必要がなく、燃料電池システム全体をコンパクトにすることができる。
【００６８】
続いて、前記制御手段は、この状態で燃料電池スタック２０が出力する電圧があらかじめ設定された閾値、例えば、５〔Ｖ〕以下となったかを判断する（ステップＳ７）。ここで、前記閾値は、燃料流路１３に水素ガスが残留しておらず、空気が充満しており、燃料極と酸素極との間に実質的に電位差が生じていない状態に対応する出力電圧の値である。なお、前記制御手段は、燃料電池スタック２０が出力する電圧が閾値未満となるまで、前記判断を繰り返して行う。
【００６９】
そして、燃料電池スタック２０の出力が前記所定電圧以下となると、前記制御手段はすべての補機を停止させ（ステップＳ８）、処理を終了する。また、前記制御手段は、吸引循環ポンプ３６を停止させ、外気導入用電磁弁２８ａを閉じ、最後に酸化剤供給源を停止させる。これにより、燃料電池スタック２０の運転が停止された状態となる。
【００７０】
このように、本実施の形態においては、セルモジュール２１の燃料用貫通孔３５の底面の位置よりも、側端保持部４０の側端貫通孔３７の底面の位置が低くなるとともに、燃料用貫通孔３５の底面と側端貫通孔３７の底面とが傾斜面３８によって接続されている。これにより、排出された水分がセルモジュール２１の燃料用貫通孔３５にまで逆流することを防止することができ、さらに、燃料流路１３内にまで逆流してしまうことを防止することができる。また、燃料用貫通孔３５の底面と側端貫通孔３７の底面とが傾斜面３８によって接続されているので、水分は、表面張力の作用によって堰き止められることがなく、燃料用貫通孔３５から側端貫通孔３７にスムーズに流出する。そのため、単位セル１１の性能の低下や、燃料極の劣化を防止することができる。
【００７１】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７２】
図５は本発明の第２の実施の形態における燃料電池スタックの側端保持部近傍の構成を示す要部拡大図である。なお、図５（ａ）は斜視図であり、図５（ｂ）は図５（ａ）における面Ｃに沿った断面を示す断面図である。
【００７３】
本実施の形態においては、図５に示されるように、燃料電池スタック２０に水滞留センサ４６が配設され、燃料流路１３内に水分が滞留したことを検出するようになっている。なお、水素ガスの流れは、図５において矢印で示されるように、蛇行状になっている。
【００７４】
図に示される例において、水滞留センサ４６は、水素ガスの流れに関して最下流側の側端保持部４０に取り付けられ、水分の存在を検出する検出部４６ａが、水素ガスの流れに関して最下流側に位置するセルモジュール２１における燃料ガス出口側マニホールド４４と反対側、すなわち、入口側の燃料用貫通孔３５内の下部に位置している。この部位は、燃料流路１３において、水分が最も滞留しやすい部位と考えられる。
【００７５】
また、前記検出部４６ａは、上下に配置された２本の電極から成り、水位が上昇して２本の電極がともに水に接触すると、電極間の電気伝導度が変化することを利用して、燃料用貫通孔３５内にＢで示されるように滞留した水分の存在を検出するようになっている。そして、前記燃料用貫通孔３５内にＢで示されるように滞留した水分の存在が検出されると、燃料流路１３内に水分が滞留したものと判断される。なお、水滞留センサ４６を配設する部位、及び、検出部４６ａが位置する部位は、適宜変更することができる。
【００７６】
そして、燃料電池システムの定常運転時に水滞留センサ４６によって水分が滞留したことが検出されると、水素ガスの排出処理を行って燃料電池スタック２０の燃料流路１３内から水素ガスを排出させることにより、滞留した水分を水素ガスとともに燃料流路１３内から排出させる。また、燃料電池システムの運転を停止させた際に水滞留センサ４６によって水分が滞留したことが検出されると、減圧処理及び空気導入処理を繰り返すことにより、滞留した水分を燃料流路１３内から排出させる。
【００７７】
なお、その他の点の構成については、前記第１の実施の形態と同様であるので、その説明を省略する。
【００７８】
次に、本実施の形態において、燃料電池システムの運転を停止させた際に水分が滞留したことが検出された場合の動作について説明する。
【００７９】
図６は本発明の第２の実施の形態における燃料電池システムの運転を停止する際の動作を示すフローチャートである。
【００８０】
まず、車両の運転者がメインスイッチ等を操作して運転の停止を選択すると、燃料電池システムの制御手段に運転の停止命令が伝えられ、燃料電池システムの運転を停止する動作、すなわち、停止処理の動作が行われる（ステップＳ１１）。なお、停止処理の動作は、前記第１の実施の形態と同様であるので、その説明を省略する。
【００８１】
続いて、減圧処理及び空気導入処理が行われ（ステップＳ１２）、燃料電池スタック２０の燃料流路１３内の水素ガスが排出された後に、前記燃料流路１３内に空気が導入される。なお、減圧処理及び空気導入処理の動作は、前記第１の実施の形態と同様であるので、その説明を省略する。また、減圧処理及び空気導入処理の動作によって、燃料流路１３内に滞留した水分が吹き飛ばされ、燃料電池スタック２０から排出されることも、前記第１の実施の形態と同様である。
【００８２】
続いて、水滞留センサ４６によるセンシング、すなわち、水分が滞留していることを検出する動作が行われ、水分が滞留していないか否かが判断される（ステップＳ１３）。そして、水分が滞留していない場合には、そのまま処理を終了するので、燃料電池スタック２０は運転が停止された状態となる。
【００８３】
また、水分が滞留している場合には、再び、減圧処理及び空気導入処理が行われる。これによって、燃料流路１３内に滞留した水分が吹き飛ばされ、燃料電池スタック２０から排出される。
【００８４】
このように、本実施の形態においては、燃料流路１３内に水分が滞留したことを検出する水滞留センサ４６が配設されている。そして、燃料電池システムの定常運転時に水分が滞留していることが検出されると、水素ガスの排出処理を行って燃料電池スタック２０の燃料流路１３内における水素ガスの流速を高めることによって、滞留した水分を水素ガスとともに燃料流路１３内から排出させる。これにより、水分が滞留したことを確実に検出し、適切に滞留した水分を排出させることができるので、水素ガスの消費量を抑制することができる。
【００８５】
また、停止処理の動作の後に燃料流路に水分が滞留していることが検出されると、減圧処理及び空気導入処理の動作を繰り返すことによって、滞留した水分を燃料流路１３内から排出させる。そのため、滞留した水分を燃料流路１３内から確実に排出させることができるので、次回に燃料電池システムを起動させる際に、反応ガスの置換をスムーズに行うことができ、単位セル１１の劣化を防止することができる。
【００８６】
なお、本発明は前記実施の形態に限定されるものではなく、本発明の趣旨に基づいて種々変形させることが可能であり、それらを本発明の範囲から排除するものではない。
【図面の簡単な説明】
【００８７】
【図１】本発明の第１の実施の形態における燃料電池スタックの燃料用貫通孔と側端貫通孔との接続部の構成を示す断面図であって図２のＡ−Ａ矢視断面図である。
【図２】本発明の第１の実施の形態における燃料電池スタックの構成を示す平面図である。
【図３】本発明の第１の実施の形態における燃料電池システムの構成を示す図である。
【図４】本発明の第１の実施の形態における燃料電池システムの運転を停止する際の動作を示すフローチャートである。
【図５】本発明の第２の実施の形態における燃料電池スタックの側端保持部近傍の構成を示す要部拡大図である。
【図６】本発明の第２の実施の形態における燃料電池システムの運転を停止する際の動作を示すフローチャートである。
【符号の説明】
【００８８】
１１    単位セル
１２    セパレータ
１３    燃料流路
２０    燃料電池スタック
３０    第２燃料排出管路
３１    第１燃料排出管路
３８    傾斜面
４０    側端保持部
４６    水滞留センサ
【図１】
2008234888.tif 000003
【図２】
2008234888.tif 000004
【図３】
2008234888.tif 000005
【図４】
2008234888.tif 000006
【図５】
2008234888.tif 000007
【図６】
2008234888.tif 000008